(57)【要約】      （修正有）【課題】旗等のポ−ル類を立てるのに、手軽に素早く出来、強風などにも充分耐えられる。【解決手段】伸縮方式のア−ム２の先につけた、渦巻状のポ−ル立て保持金具１により、そのポ−ル類のほぼ中間部分をしっかりと保持できるように工夫した事で強風に吹き倒されることがなくなった。ポールの元の部分には沓金具１２をセットとすることで、しっかりと、しかも素早く立て込み出来る。【選択図】図１
0003104996.tif 000002
【実用新案登録請求の範囲】
【請求項１】
旗棹などの立て込み用に、かなりの強風にも耐えられ、しかも組み立て式によりワンタッチの速さと簡便さで、竹棹、棒、金属パイプ等のポ−ル類を立て込んだり、取り付けられる新案金具製造の登録請求。
【考案の詳細な説明】
【技術分野】
【０００１】  一般家庭向き金物金具用材のステンレス、アルミ、鉄類の切断・溶接・穴あけ等の加工技術により製作される部分品作りと、その組み立てに関する。【０００２】  上記金属の組み立て金具類のバフ研磨・塗装・鍍金等の技術の分野に関する。
【背景技術】
【０００３】  家庭用金属金具の製造加工であり、板材の折り曲げ、型抜き、打ち抜き、絞り、型押し等の加工技術が必要となる。【０００４】  アルミ、鉄を用材とした時は、焼付け塗装に関する技術が要求される。
【考案の開示】
【考案が解決しようとする課題】
【０００５】  国旗など、又祭礼旗、飲食店及び、その他商店売り出し旗や商いの案内旗を店脇に立てるのに、簡便な金具類のないことで現状ははとても不自由をしている。その不便さを解決する金属製品金具である。従来あるコンクリ−トブロック棹建て用具は、路上歩行の障害となったり、風速１０メ−トル前後の風にたえられず、吹き倒されてしまうといった欠陥がある。そこで考案されたのが棹・ポ−ル・細物パイプ類を立て込むに、安全かつ丈夫に立て込むことを狙いとした本件申請による新案の金具である。
【課題を解決するための手段】
【０００６】  図１の如く、棹やそれに類似したパイプなどのポール類を建てる時、そのもとの部分を沓金物〜１２に差込み、地上１５ｍ〜２４ｍの高さ付近の建物の外壁面や柱面に、ボルトによりしっかりと固定されたワンタッチ式のアーム金具〜２、〜３を起こし、〜５の頬杖を〜２２に、はめ込むだけの事で組み立てられる【０００７】組建てられたア−ムの先端にあるリングに、ポ−ル、棹、パイプをくぐして立て込む。図示のア−ムの付いた立て込み金具は、ビルの外壁面や木造家屋の柱面などにベ−スプレート部分をアンカ−ボルトで取り付ける。【０００８】リング金具は竹竿やパイプ、ポールなどの中間部分を保持させることで強風時でも安全に、旗立てが極めて手軽にすることが可能となる。
【考案の効果】
【０００９】  旗さおの立込みが手軽に出来ると同時に、国旗の掲揚や商店旗、案内旗、宣伝用広告旗などの棹立てが強風時でも安全に保持される。【００１０】  商店出入り口などでは、歩行に障害となるコンクリ−ト・ブロックなどによる、従来の棹立てに代わる事で足元の安全さが保持される。
【考案を実施するための最良の形態】
【００１１】以下図１〜図４によりその実施の簡便な棹類・ポ−ル・パイプ類の立て込み方を順を追って説明する。【００１２】  図１の側面図から、アーム〜２、〜３を図示矢印のように持ち上げて〜５を〜２２のフックに掻い込む事で、いとも簡単に組み立ては完了する。【００１３】  図４は本案の金具に、市販済みのバンド金物を溶接して、電柱に旗棹ポ−ルを立て込んだ側面図である。
【実施例】
【００１４】  巷間の電柱には、旗棹などが紐などで不様に立てられ、町の美観を害っている。そうした乱雑な取り付けが図４の考案応用から、しっかりと、きちんとした旗立てが、ワンタッチで素早く手軽に出来る。【００１５】  〜１５のベ−ス・プレ−トに、例えて、窓の手すりや窓枠サッシなどに旗を立てたい時は、それなりの取り付け用金具をプレートに溶接付けすることで出来るし、その応用から多様な面に取り付けが可能となる。【００１６】  祭事や歓迎行事などの街灯ポ−ル・樹木などの旗による飾りつけをするときに、ボルトではなく皮革製の取り付け用具などで本案の金具を利用すると、とても便利である。
【産業上の利用可能性】
【００１７】  屋外壁、道路に面しての宣伝旗や工事中の警告旗などの棹たてや、ポ−ル立ての手軽な立て込みにも利用できて便利である。
【図面の簡単な説明】
【００１８】
【図１】建物に取り付けた側面姿図である。
【図２】  図１のたて込み金具を、建物の壁面に柱などに取り付け時の正面図で、アームをたたんで仕舞い込んだ図である。〜１６の図はポール類の元の部分を差し込む沓金具である。ア−ムの伸縮により、ポ−ルの角度に合わせて自在に矢印方向（図１に示した）に向きが替えられる。
【図３】伸縮方式のア−ム、〜２、〜３、の切り口部材の断面図である。
【図４】街路電柱に本案の金具を取り付けポ−ル類を立て込んだ側面図である。
【符号の説明】
【００１９】  １  棹・パイプ・ポール類を通して保持するリング。
２  伸縮式アームでリングを先端につけ、〜３の内側にスライドして仕舞う。
３  ア−ムの本体。〜２を中子にして伸ばせる。
４  スライド式の中子ア−ムを止めるボルト。
５  ア−ム、〜３を起こした時、保持する頬杖用アーム。
６  〜３を、不使用時にたたんで仕舞いこんだ状態。
７  〜５を、……仝………………………仝…………。
８  ア−ム、〜３と、〜５を、ベ−スプレ−トに取り付ける蝶番。
９  コンクリ−ト建物の壁面。
１０  木造建物の木柱。
１１  木造建物のモルタル壁面。
１２  ポ−ルや棹の元の部分を差し込む沓金具で、矢印のように自在とする。
１３  〜１２の棹受け部品をボルトで止めるプレ−ト。
１４  壁面に、ボルト留めするボルトの位置。
１５  ア−ム、〜３を蝶番留めするベ−スプレ−ト。
１６  棹受け沓金具のベ−スプレ−ト。
１７  棹・ポール・細物パイプ等を表示。
１８  ア−ム、〜２のスライド方向を示す。
１９  アーム、〜２、〜３を矢印方向に託し上げると〜５が仕舞いこめる。
２０  〜５をしまう時、矢印方向に立て込む。
２１  アーム、〜３を矢印のように折り下げて仕舞いこむ。
２２  〜５を嵌め込んで固定させるフック。
２３  ベースプレ−トの取り付けボルトと、その位置。
２４  ア−ム、〜２の断面小口の図（図３）。
２５  アーム、〜３に中子を挿入した断面小口の表示（図３）
２６  電柱等の被取り付け躯体の参考例（図４）
２７  ベ−スプレ−ト取り付け用のバンド金具。皮革や真田紐利用も便利。
【図１】
0003104996.tif 000003
【図２】
0003104996.tif 000004
【図３】
0003104996.tif 000005
【図４】
0003104996.tif 000006
【手続補正書】
【提出日】平成16年5月27日(2004.5.27)
【手続補正１】
【補正対象書類名】実用新案登録請求の範囲
【補正対象項目名】全文
【補正方法】変更
【補正の内容】
【実用新案登録請求の範囲】
【請求項１】
アーム２にリング金物１を溶接し棹ポール類の保持部分とし、そのアームをサイドアーム３の内側に挿入することで伸縮による長さ調節を可能とし、アーム３の斜め突き出し起こしの保持は、頬杖アームをワンタッチ操作ではめ込んで、側面視三角形状の組み立てをなし、アーム３と頬杖アームはベースプレートに蝶番で取り付け、折りたたみ、仕舞い込み自在とした棹ポール類の立て込み保持金具。